【手続補正書】
【提出日】平成29年1月20日(2017.1.20)
【手続補正１】
【補正対象書類名】特許請求の範囲
【補正対象項目名】全文
【補正方法】変更
【補正の内容】
【特許請求の範囲】
【請求項１】
指定区域にパターンを形成するシステムであって、
送信機と、制御装置と、個々に固有の識別子を有する複数台の可搬ノードと、前記複数台の可搬ノードの固有の識別子を蓄積するように構成されるデータベースと
を備え、
各可搬ノードは、
少なくとも２つの状態を有する素子と、
前記送信機からのクエリーコマンド信号と、前記制御装置からの素子コマンド信号とを受信するように構成される送受信機と、
を備え、
前記可搬ノードは、前記素子コマンド信号に応答して前記素子を少なくとも２つの状態のうちの１つの状態に遷移するように構成され、
前記送信機は、１台以上の送受信機に前記クエリーコマンド信号を送信するように構成されると共に、複数台の可搬ノードそれぞれの固有の識別子を受信するように構成されており、
前記送信機は、前記データベースに対して前記固有の識別子を認証し、複数台の可搬ノードのうちの認証済みの可搬ノードを作動させて前記素子コマンド信号を受信するようにさらに構成され、
前記制御装置は、作動中の可搬ノードに前記素子コマンド信号を送信し、１台以上の作動中の可搬ノードの１つ以上の素子を少なくとも２つの状態のうちの１つの状態にして前記指定区域にパターンを形成するように構成される
システム。
【請求項２】
前記素子は、光素子、音声素子、触覚素子またはそれらの組合せである
請求項１に記載のシステム。
【請求項３】
前記送受信機は、ラジオ波送受信機である
請求項１に記載のシステム。
【請求項４】
前記ラジオ波送受信機は、超音波送受信機、赤外線送受信機、可視光線送受信機またはｗｉｆｉ送受信機である
請求項３に記載のシステム。
【請求項５】
各可搬ノードは、マイクロプロセッサをさらに含み、
前記マイクロプロセッサは、前記素子コマンド信号に応答して前記素子を少なくとも２つの状態のうちの１つの状態に遷移するように構成される
請求項１に記載のシステム。
【請求項６】
前記制御装置は、状態基準プロトコル制御装置用の制御デバイスである
請求項１に記載のシステム。
【請求項７】
前記状態基準プロトコル制御装置用の制御デバイスは、ＤＭＸ制御装置である
請求項６に記載のシステム。
【請求項８】
１台以上の固定ノードと、
前記１台以上の固定ノードによって前記可搬ノードの前記識別情報に基づいて各可搬ノードの相対位置を決定するように構成されるプロセッサと
をさらに備え、
各固定ノードは、固定ノードの電波領域内において可搬ノードを特定し、前記可搬ノードの信号強度を算定するように構成されており、
各可搬ノードに送信された素子コマンド信号は、前記可搬ノードの相対位置により変化する
請求項１に記載のシステム。
【請求項９】
前記１台以上の固定ノードは、前記素子コマンド信号を、複数台の可搬ノードの少なくとも１つに中継するように構成される
請求項８に記載のシステム。
【請求項１０】
前記素子コマンド信号は、光コマンド信号である
請求項９に記載のシステム。
【請求項１１】
前記光コマンド信号は、明色、光度および光持続時間のうちの少なくとも１つの指示データを含む
請求項１０に記載のシステム。
【請求項１２】
複数台の可搬ノードは、杖、記章、棒、ネックレス、リストバンド、ブレスレット、履物、スマートフォン、スマートウォッチまたはスマートグラスである
請求項１に記載のシステム。
【請求項１３】
各可搬ノードは、電源をさらに含む
請求項８に記載のシステム。
【請求項１４】
前記送受信機は、前記素子コマンド信号を、複数台の可搬ノードの他の少なくとも１つに中継するようにさらに構成される
請求項１に記載のシステム。
【請求項１５】
作動中の各可搬ノードは、前記パターンの一部を形成する
請求項１に記載のシステム。
【請求項１６】
各可搬ノードは、データを蓄積するメモリをさらに備える
請求項１に記載のシステム。
【請求項１７】
前記データは、氏名、住所、電話番号、写真、性別、年齢、好物または各可搬ノードに関連する使用者の関係状況、またはこれらの組合せを備える
請求項１６に記載のシステム。
【請求項１８】
前記データは、要望するパートナーのプロフィール情報をさらに備え、
前記可搬ノードは、前記プロフィール情報にマッチするデータを有する他の可搬ノードの所定距離内に入ったときに、それぞれの素子の状態を、マッチ信号を生成する状態に変更させるように構成される
請求項１７に記載のシステム。
【請求項１９】
前記データは、使用者に関連する支払情報である
請求項１６に記載のシステム。
【請求項２０】
前記可搬ノードは、前記支払情報を用いることによって、前記指定区域内でアイテムを購入するために使用されるように構成される
請求項１９に記載のシステム。
【請求項２１】
各可搬ノードは、前記素子コマンド信号に応答するように構成される触覚応答機構を含む、請求項１に記載のシステム。
【請求項２２】
前記複数台の可搬ノードの少なくとも１つは、第２素子コマンド信号を生成し、前記第２素子コマンド信号を、前記第２素子コマンド信号により制御可能なデバイスに送信するように構成される
請求項１に記載のシステム。
【請求項２３】
前記第２素子コマンド信号により制御可能なデバイスは、テレビジョン、ビデオモニター、音響機器、照明機器、プロジェクション機器、ビデオプロセッサ、音響機器、メディアサーバ、またはエフェクトシステムの少なくとも１つである
請求項２２に記載のシステム。
【請求項２４】
前記第２素子コマンド信号は、前記第２素子コマンド信号により制御可能なデバイスに状態を変化させるための指令を含む
請求項２２に記載のシステム。
【請求項２５】
前記素子コマンド信号は、第１素子コマンド信号であり、
前記可搬ノードは、前記第１素子コマンド信号に基づいて前記第２素子コマンド信号を送信するようにさらに構成される
請求項２２に記載のシステム。
【請求項２６】
前記可搬ノードは、前記制御可能なデバイスの近接度に基づいて前記第２素子コマンド信号を送信するようにさらに構成される
請求項２２に記載のシステム。
【請求項２７】
前記送信機は、固有の識別子を受信すると、可搬ノードの所持者の前記識別子を認証するために、画像を表示するように構成され、
前記画像は、前記固有の識別子と関連する前記可搬ノードの登録使用者に関連するものである
請求項１に記載のシステム。
【請求項２８】
前記複数台の可搬ノードは、前記指定区域にアクセスするためのデジタルチケットとして使用されるように構成される
請求項１に記載のシステム。
【請求項２９】
指定区域にパターンを形成するシステムであって、
複数台の可搬ノードを備え、
各可搬ノードは、
少なくとも２つの状態を有する素子と、
パターンデータおよび素子コマンド信号を受信するように構成される送受信機と、
前記パターンデータを蓄積するように構成されるメモリと、
前記パターンデータおよび前記素子コマンド信号を複数台の可搬ノードに送信するように構成される制御装置と
を備え、
前記可搬ノードは、前記素子コマンド信号に応答して前記素子を少なくとも２つの状態のうちの１つの状態に遷移するように構成され、
２台以上の複数台の可搬ノードそれぞれは、２台以上の複数台の可搬ノードそれぞれから成る１つ以上のパターンの個別部分を形成するように構成され、
２台以上の複数台の可搬ノードそれぞれは、前記素子コマンドに応答して前記パターンデータに従ってその各素子を少なくとも２つの状態のうちの１つの状態にして前記複数台の可搬ノードから形成される１つ以上のパターンを前記指定区域に形成するように構成される
システム。
【請求項３０】
前記素子は、光素子、音声素子、触覚素子またはそれらの組合せである
請求項２９に記載のシステム。
【請求項３１】
前記送受信機は、超音波送受信機、赤外線送受信機、可視光線送受信機またはｗｉｆｉ送受信機である
請求項２９に記載のシステム。
【請求項３２】
前記パターンデータは、ピクセルデータである
請求項２９に記載のシステム。
【請求項３３】
前記メモリは、氏名、住所、電話番号、写真、性別、年齢、好物または各可搬ノードに関連する使用者の関係状況、またはこれらの組合せを蓄積するようにさらに構成される、請求項２９に記載のシステム。
【請求項３４】
ある信号を複数台の可搬ノードに送信して前記指定区域における各可搬ノードの相対位置を決定するように構成される測位送受信機をさらに備え、
各可搬ノードに送信された前記パターンデータは、各可搬ノードの相対位置に依存する
請求項２９に記載のシステム。
【請求項３５】
前記制御装置は、前記複数台の可搬ノードのうちの２台以上の可搬ノードに光コマンド信号を送信して、前記パターンデータに従う前記２台以上の可搬ノードを照らすように構成される
請求項２９に記載のシステム。
【請求項３６】
各可搬ノードに送信された前記パターンデータは、前記可搬ノードの所定位置に依存する
請求項２９に記載のシステム。
【請求項３７】
前記複数台の可搬ノードそれぞれは、前記素子コマンド信号に応答するように構成される触覚応答機構をさらに備える
請求項２９に記載のシステム。
【請求項３８】
複数台の可搬ノードを用いて指定区域にパターンを形成する方法であって、
少なくとも２つの状態を有する複数台の可搬ノードの１台以上の可搬ノードから識別情報を受信することと、
複数台の可搬ノードのうち登録済みの可搬ノードを決定することと、
前記登録済みの可搬ノードに第１素子コマンド信号を送信して、前記指定区域にパターンを形成することと
を備える、方法。
【請求項３９】
登録済みの可搬ノードそれぞれに位置信号を送信して各可搬ノードの相対位置を決定することをさらに備え、
前記第１素子コマンド信号を送信することは、前記第１素子コマンド信号を送信して登録済みの可搬ノードそれぞれの前記決定済みの相対位置に基づいて前記パターンを形成することを含む
請求項３８に記載の方法。
【請求項４０】
登録済みの可搬ノードそれぞれにパターンデータを送信することをさらに備え、
各可搬ノードは、複数台の可搬ノードから成るパターンの個別部分として機能し、
第１素子コマンド信号は、各パターンデータに応答して各可搬ノードを少なくとも２つの状態のうちの１つの状態にして、複数台の可搬ノードから形成される１以上の画像を形成するきっかけとなる
請求項３８に記載の方法。
【請求項４１】
前記第１素子コマンド信号を、前記第１素子コマンド信号により制御可能なデバイスに中継することをさらに備える
請求項３８に記載の方法。
【請求項４２】
前記第１素子コマンド信号により制御可能なデバイスは、複数台の可搬ノードの一つである
請求項４１に記載の方法。
【請求項４３】
前記第１素子コマンド信号により制御可能なデバイスに位置信号を送信して、前記第１素子コマンド信号により制御可能なデバイスの相対位置を決定することと、
前記第１素子コマンド信号により制御可能なデバイスの相対位置に基づいて前記第１素子コマンド信号を送信することと
をさらに備える、請求項４１に記載の方法。
【請求項４４】
前記第１素子コマンド信号により制御可能なデバイスに位置信号を送信して、前記第１素子コマンド信号により制御可能なデバイスの信号強度を算定することをさらに備え、
前記第１素子コマンド信号を送信することは、前記第１素子コマンド信号により制御可能なデバイスの信号強度に基づいて前記第１素子コマンド信号を送信することを含む
請求項４１に記載の方法。
【請求項４５】
２台以上の可搬ノードからプロファイル情報を受信することと、
前記プロファイル情報に基づいて１台以上の前記可搬ノードを適合させることと、
適合させた可搬ノードに適合工程の結果を送信することと
をさらに備える、請求項３８に記載の方法。
【請求項４６】
適合された可搬ノードに位置信号を送信することと、
適合された可搬ノードの相対位置を決定することと、
適合された可搬ノードの相対位置に基づいて第２素子コマンド信号を送信して、適合された可搬ノードを少なくとも２つの状態のうちの１つの状態にすることと
をさらに備える、請求項４５に記載の方法。
【請求項４７】
使用者が前記指定区域に到達する前に、前記指定区域へのアクセスのためのデジタルチケットとして使用するために複数台の可搬ノードを使用者に送ることと、
少なくとも１人の使用者から登録情報を受信して前記指定区域用の複数台の可搬ノードの少なくとも１台を登録することと、
前記登録情報の受信に応答して、少なくとも１台の可搬ノードの前記識別情報を前記指定区域に関連付けることと
をさらに備える、請求項３８の方法。
【請求項４８】
登録されることが決定された可搬ノードの使用者に対してのみ指定区域にアクセスさせることと、
登録されることが決定されていない可搬ノードをロックすることと
をさらに備える、請求項４７の方法。